(57)【要約】【課題】録画するコンテンツの保存要求容量と記録再生装置の記録可能な空き容量を比較し、最後まで録画を実行することができない旨をユーザに伝える。【解決手段】受信部１１と、信号処理部１４と、表示器３０と、記録再生装置１７とを有する。前記信号処理部１４から取得したコンテンツの情報から、前記コンテンツを最後まで録画するための保存要求容量を算出するコンテンツ容量検査部１８ｂと、前記記録再生装置１７の記録可能な空き容量を算出する接続機器容量検査部１８ｃと、前記保存要求容量と前記記録可能な空き容量を比較する容量比較部１８ｄと、前記容量比較部１８ｄの比較結果、前記記録可能な空き容量が前記保存要求容量より小さかった場合、警告を前記表示器３０，１６に表示する報告処理部１８ｅとを有する。【選択図】      図２
2007067954.tif 000002
【特許請求の範囲】
【請求項１】
番組情報が含まれている放送信号を受信する受信部と、
前記受信部で受信した受信信号に含まれる映像信号に信号処理を施す信号処理部と、
前記信号処理部からの表示用映像信号を出力する表示用映像信号出力部と、
前記信号処理部からの記録用映像信号を出力する記録用映像信号出力部と、
前記番組情報を用いて、受信中の番組のコンテンツを最後まで録画するために必要な保存要求容量を算出するコンテンツ容量検査部と、
前記記録用出力部に接続される記録再生装置の記録可能な空き容量を算出する接続機器容量検査部と、
前記保存要求容量と前記記録可能な空き容量を比較する容量比較部と、
前記容量比較部の比較結果、前記記録可能な空き容量が前記保存要求容量より小さかった場合、警告用映像信号を出力する報告処理部と、
を有することを特徴とする放送受信装置。
【請求項２】
前記報告処理部は、操作部から表示指示があったときに、前記信号処理部で取得した番組情報と、前記容量比較部で取得した比較結果の映像信号を合わせて前記表示用映像信号出力部に出力する手段を有することを特徴とする請求項１記載の放送受信装置。
【請求項３】
さらに録画制御部を有し、
前記報告処理部が前記警告用映像信号を出力しているときに、強制的な録画開始の操作入力が有った場合は、
前記録画制御部は、前記記録再生装置に前記コンテンツの録画を実行させることを特徴とする請求項１記載の放送受信装置。
【請求項４】
前記容量比較部の比較結果、前記記録可能な空き容量が前記保存要求容量より小さかった場合、
前記接続機器容量検査部は、さらに他の使用可能な記録再生装置の記録可能な空き容量を検査し、この記録可能な空き容量と前記保存要求容量を、前記容量比較部で比較させることを特徴とする請求項１記載の放送受信装置。
【請求項５】
前記容量比較部の比較結果、前記記録可能な空き容量が前記保存要求容量より小さかった場合、
前記報告処理部は、既に記録済の別のコンテンツを消去するか否かを選択させるための映像信号を出力し、
消去する旨の操作入力が有った場合、消去制御部が前記記録済の別のコンテンツを消去する
ことを特徴とする請求項１記載の放送受信装置。
【請求項６】
前記報告処理部は、前記消去する旨の操作入力が無い場合、容量不足の警告用の映像信号を出力するとともに、強制的な録画開始を実行するか否かの問い合わせ行う問い合わせを行なう映像信号を出力する
ことを特徴とする請求項５記載の放送受信装置。
【請求項７】
番組情報が含まれている放送信号を受信する受信部と、前記受信部で受信した受信信号に含まれる映像信号に信号処理を施す信号処理部と、前記信号処理部からの表示用映像信号を出力する表示用映像信号出力部と、前記信号処理部からの記録用映像信号を出力する記録用映像信号出力部と、動作を統括する制御部とを有し、
前記制御部は、
コンテンツを録画する指示があったとき、前記受信信号に含まれる番組情報を用いて、受信中の番組のコンテンツを最後まで録画するために必要な保存要求容量を算出し、
前記岐路協映像信号出力部に接続される記録再生装置の記録可能な空き容量を算出し、
前記保存要求容量と前記記録可能な空き容量を比較し、
前記容量比較部の比較結果、前記記録可能な空き容量が前記保存要求容量より小さかった場合、警告用の映像信号を前記表示用映像信号出力部に出力する、
ことを特徴とする録画に関する情報処理方法。
【請求項８】
さらに、操作部から表示指示があったときに、前記信号処理部で取得した番組情報と、前記比較結果の映像信号を合わせて前記表示用映像信号出力部に出力する表示部に表示する
ことを特徴とする請求項７記載の録画に関する情報処理方法。
【請求項９】
さらに前記報告処理部が前記警告用映像信号を出力しているときに、強制的な録画開始の操作入力が有った場合は、前記記録再生装置に前記コンテンツの録画を実行させる
ことを特徴とする請求項７記載の録画に関する情報処理方法。
【請求項１０】
前記比較結果、前記記録可能な空き容量が前記保存要求容量より小さかった場合、
さらに他の使用可能な記録再生装置の記録可能な空き容量を検査し、この記録可能な空き容量と前記保存要求容量を、比較する
ことを特徴とする請求項７記載の録画に関する情報処理方法。
【請求項１１】
前記比較結果、前記記録可能な空き容量が前記保存要求容量より小さかった場合、
既に記録済の別のコンテンツを消去するか否かのどちらか一方を選択させる表示用映像信号を出力し、
消去する旨の操作入力が有った場合、前記記録済の別のコンテンツを消去する
ことを特徴とする請求項７記載の録画に関する情報処理方法。
【請求項１２】
前記消去する旨の操作入力が無い場合、容量不足の警告用映像信号を出力するとともに、強制的な録画開始を実行するか否かの問い合わせ行う表示用映像信号を出力する
ことを特徴とする請求項１１記載の録画に関する情報処理方法。
【発明の詳細な説明】
【技術分野】
【０００１】
この発明は、放送受信装置及び録画に関する情報処理方法に関するもので、特に記録再生装置の記録可能な空き容量が少なく、録画を最後まで実行できない場合の情報処理方法を改良したものである。
【背景技術】
【０００２】
近年、記録装置としてのハードディスク装置（ＨＤＤ）、光ディスクなどの情報記録媒体は、その記憶容量を増大している。このために、これらの情報記録媒体を利用した記録再生装置を例えばテレビジョン受信機に接続し、所望の番組を記録媒体に自動録画する方法及び装置がある。
【０００３】
しかしＨＤＤを利用した装置においても記録容量不足を生じることがあり、その場合の対策が種々提案されている。
【０００４】
例えば、ＨＤＤにおいて、記録容量が足りなくなった場合、他の記録再生装置をネットワーク上でサーチして、連続記録を実現する方法がある（例えば特許文献１）。また記録媒体の残量が不足した場合、既記録情報を削除する方法も提案されている（例えば特許文献２）。またビデオテープレコーダとＨＤＤを組み合わせて、ＨＤＤで追いかけ再生を実現できるようにしたシステムも提案されている（例えば特許文献３）。
【特許文献１】特開２００４−１２８９３１公報
【特許文献２】特開２００４−３２８６０８公報
【特許文献３】特開２００２−２３０９００公報
【発明の開示】
【発明が解決しようとする課題】
【０００５】
上記した従来の技術では、録画の途中で記録媒体、例えばハードディスクの記録可能領域な空き容量が少なくなった場合、自動的に他の記録媒体への記録が開始される。このためにユーザが介入する余地がない。ユーザによっては、記録媒体の残量が不足状態になったとき、種々の対応を希望する場合がある。
【０００６】
そこで本発明の一実施の形態では、録画するコンテンツの保存要求容量と記録再生装置の記録可能領域な空き容量を比較し、最後まで録画を実行することができない場合、その旨をユーザに伝えることができる放送受信装置及び録画に関する情報処理方法を提供することを目的とする。
【課題を解決するための手段】
【０００７】
この発明は、番組情報が含まれている放送信号を受信する受信部１１と、前記受信部（１１）で受信した受信信号に含まれる映像信号に信号処理を施す信号処理部１４と、前記信号処理部１４からの表示用映像信号を出力する表示用映像信号出力部と、前記信号処理部（１４）からの記録用映像信号を出力する記録用映像信号出力部と、前記番組情報を用いて、受信中の番組のコンテンツを最後まで録画するために必要な保存要求容量を算出するコンテンツ容量検査部１８ｂと、前記記録用出力部に接続される記録再生装置１７の記録可能な空き容量を算出する接続機器容量検査部１８ｃと、前記保存要求容量と前記記録可能な空き容量を比較する容量比較部１８ｄと、前記容量比較部１８ｄの比較結果、前記記録可能な空き容量が前記保存要求容量より小さかった場合、警告用映像信号を出力する報告処理部１８ｅと、を有する。
【発明の効果】
【０００８】
上記した手段により、ユーザは録画を最後まで実行することができるかどうかを、予め知ることが出来る為、録画の失敗を減らすことができることになる。
【発明を実施するための最良の形態】
【０００９】
以下、図面を参照しながらこの発明の実施の形態を説明する。
【００１０】
図１には、この実施の形態で説明するディジタルテレビジョン放送受信装置１０の主要な信号処理を示している。
【００１１】
アンテナ１１で受信した衛星ディジタルテレビジョン放送信号若しくは地上ディジタルテレビジョン放送信号は、チューナ１２に供給されることにより、所望のチャンネルの放送信号が選局される。
【００１２】
チューナ１２で選局された放送信号は、復調器１３に供給されて、ＴＳ（transport stream）に復調された後、信号処理部１４に出力される。
【００１３】
上記信号処理部１４は、ＴＳプロセッサー１４aと、ＭＰＥＧデコーダ１４ｂと、グラフィック制御装置１４ｃとを有している。
【００１４】
ＴＳプロセッサー１４aは復調器１３から供給されたＴＳの内、所望の必要な番組のＴＳ（パーシャルＴＳ）を取得し、またＴＳ内のデータを解析してパーシャルＴＳを映像ＥＳ（elementary stream）及び音声ＥＳに変換する。又信号処理部１４は、図２に示すように表示用映像信号を出力する表示用映像信号出力部と、記録用映像信号を出力する記録用映像信号出力部とを有する。
【００１５】
ＴＳプロセッサー１４aで変換された映像ＥＳ及び音声ＥＳは、ＭＰＥＧデコーダ１４ｂに供給されて、デコードされる。ＭＰＥＧデコーダ１４ｂでデコードされた映像信号は、グラフィック制御装置１４ｃに出力される。グラフィック制御装置１４ｃは、映像信号を映像出力装置１５に供給する。映像出力装置１５は、グラフィック制御装置１４ｃから供給された映像信号を表示器（図示せず）で表示可能なフォーマットに変換して出力する。
【００１６】
上記したＴＳプロセッサー１４ａは、図２に示すように記録再生装置１７と接続される。したがって、ＴＳプロセッサー１４aで変換された録画用ＴＳは、記録再生装置１７に出力され、記録される。また、記録再生装置１７に保存されている録画用ＴＳは、信号処理部１４内のＴＳプロセッサー１４aに出力される。ＴＳプロセッサー１４aは記録再生装置１７から供給された録画用ＴＳの内必要なＴＳを取得し解析し、映像ＥＳ及び音声ＥＳに変換する。
【００１７】
このようにＴＳプロセッサー１４aで変換された映像ＥＳ及び音声ＥＳは、ＭＰＥＧデコーダ１４ｂに供給されて、デコードされる。ＭＰＥＧデコーダ１４ｂでデコードされた映像信号は、グラフィック制御装置１４ｃに出力される。
【００１８】
また、ＭＰＥＧデコーダ１４ｂでデコードされた音声信号は、音声出力装置１６に入力され、ここから各スピーカに分配されて出力される。
【００１９】
ここで、このディジタルテレビジョン放送受信装置１０は、上記した各種の受信動作を含むその全ての動作をホストマイコン（制御部）１８によって統括的に制御されている。
【００２０】
制御部１８は中央演算処理ユニット（ＣＰＵ）等を内蔵している。そして、制御部１８は、操作パネル１９からの操作情報を受けたとき、又はリモートコントローラ２０からの送出された操作情報を、受光部２１を介して受信したとき、その操作内容が装置に反映されるように各部をそれぞれ制御している。
【００２１】
図２に示すように制御部１８は、主として、そのＣＰＵが実行する制御プログラムを格納したROM(read only memory)２２ａと、該ＣＰＵに作業エリアを提供するＲＡＭ（random access memory）２２ｂと、各種の設定情報及び制御情報等が格納される不揮発性メモリ２２ｃとを有するメモリ部２２を利用している。
【００２２】
図２は、この発明の特徴を分かりやすくするために制御部１８を構成する機能をブロック化して示している。図１に示したブロックに対応する部分には、図１に示したブロックと同一符号を付している。
【００２３】
制御部１８は、操作パネル１９やリモートコントローラ２０によって入力された操作を処理する操作入力判別部１８ａを有する。この操作入力判別部１８ａの判別結果に応じて録画制御部１８ｇ、消去制御部１８ｈなどが動作し、記録再生装置１７における動作モードが決定される。また、制御部１８は、番組情報取得部１８ｆを含む。番組情報取得部１８ｆは、信号処理部１４で解析されて、分離抽出されたＴＳから番組情報を取得し保存している。番組情報には、番組或いはイベントの放送時間（開始時間、終了時間）、最大伝送量のなどの情報が含まれている。また番組情報には、チャンネル番号、番組名、ジャンル、内容説明等も含まれる。
【００２４】
また、制御部１８は、コンテンツ容量検査部１８ｂを有し、このコンテンツ容量検査部１８ｂは、上記の番組情報取得部１８ｆで取得した番組に関する各種情報から、その番組のコンテンツを最後まで録画するために必要な保存要求容量を算出することができる。
【００２５】
また、さらに制御部１８は、装置本体内若しくは外部に接続されている記録再生装置１７の空き容量、すなわち記録可能な空き容量を算出する接続機器容量検査部１８ｃを有する。
【００２６】
また、さらに制御部１８は、上記保存要求容量と上記記録可能な空き容量とを比較し、受信中のコンテンツを最後まで録画可能かどうか判断する、容量比較部１８ｄを有する。
【００２７】
さらにまた、制御部１８は、容量比較部１８ｄの比較結果などを表示器に表示するための報告処理部１８ｅを有する。この報告処理部１８ｅは、番組情報取得部１８ｇで取得した番組情報を表示器３０に表示することができる。この報告処理部１８ｅの動作は、後述するフローチャートにおいてさらにも説明することにする。
【００２８】
また、制御部１８は、消去制御部１８ｈを含む。この消去制御部１８ｈは、記録再生装置１７の既記録番組などを消去する場合、或いは、既記録番組上に上書き録画を行う場合の制御機能である。上記報告処理部１８ｅは、番組情報取得部１８ｇで取得した番組情報を表示器３０に表示することができる。
【００２９】
図３は、このディジタルテレビジョン放送受信装置１０が、一時保存を実行する際の動作を説明するフローチャートである。
【００３０】
操作入力判別部１８aは、操作入力部において一時保存開始あるいは録画の操作入力を確認する（ステップＳ１）。コンテンツ容量検査部１８ｂは、受信中のコンテンツの残り時間及び最大伝送量を取得する（ステップＳ２）。次に、これら取得したコンテンツの容量を計算するときに用いる情報から、記録再生装置１７に保存する際の保存要求容量Ａを算出する（ステップＳ３）。
【００３１】
一方、接続機器容量検査部１８ｃは、接続されている記録再生装置１７の記録可能な空き容量Ｂを算出する（ステップＳ４）。容量比較部１８ｄは、算出された保存要求容量Ａと記録可能な空き容量Ｂとを比較する（ステップS５）。
【００３２】
ステップＳ５において、記録可能な空き容量Ｂが保存要求容量Ａより大きかった場合、録画制御部１８ｇは、記録再生装置１７に対して一時保存録画を開始させる（ステップＳ６）。なおこの場合、一時保存に限定されるものではなく、通常の録画であってもよいことは勿論である。
【００３３】
ステップＳ５において、逆に保存要求容量Ａが記録可能な空き容量Ｂより大きかった場合、報告処理部１８ｅは、記録再生装置１７の容量不足の為、受信中のコンテンツを最後まで録画することができないという旨のメッセージを表示器（図示せず）に表示させる（ステップＳ７）。
【００３４】
このとき録画制御部１８ｇは、ユーザが強制的に録画を実行する旨の操作を行なったかどうかの判断を行なう（ステップＳ８）。一定時間の間、録画操作入力が無ければ処理が終了する（ステップＳ９）。
【００３５】
ステップＳ８において、操作入力部に一時保存実行の入力操作があった場合、録画制御部１８ｇは一時保存録画を開始する（ステップＳ６）この場合も、一時保存に限定されるものではなく、通常の録画であってもよいことは勿論である。
【００３６】
よって、この発明は、一時保存録画を実行する際、対象のコンテンツを最後まで録画することができない場合はユーザに対して警告をする為、録画の失敗を減らすことが出来る。またユーザに対して、記録再生装置１７における録画状況を十分に認識させることができる。ユーザが、ステップＳ８において、強制的に録画を実行する操作を行なったときは、ユーザは、記録可能な空き容量Ｂが不足であるが、とにかく、記録可能な空き容量Ｂで録画が可能なところまで、番組の録画を実行したということを十分に認識することができる。
【００３７】
図４は、このディジタルテレビジョン放送受信装置１０において、表示器３０に番組情報を表示させる際の処理をフローチャートとして示している。先の図３の例は、記録再生装置１７の一時的な録画を実行させるための操作を行なった例である。これに対して図４は、番組受信中において現在の録画環境を認識するための操作を行った場合のフローチャートである。
【００３８】
操作入力判別部１８aは、操作入力部において、受信中の番組情報表示の操作入力を確認する（ステップＳＡ１）。番組情報取得部１８ｆは、信号処理部１４から供給されるＴＳより、番組情報取得部１８ｆに格納されている受信中のコンンツの最新の番組情報（チャンネル番号、番組名、ジャンル、内容説明等）を取得する。このとき報告処理部１８ｅは、取得した番組情報のうち表示可能な情報を表示器３０に表示してもよい。
【００３９】
また、コンテンツ容量計算部１８ｂは、受信中のコンテンツの残り時間及び最大伝送量を取得する（ステップＳＡ２）。そしてこれら取得したコンテンツの容量を計算するときに用いる情報から、記録再生装置１７に保存する際の保存要求容量Ａを算出する（ステップＳＡ３）。
【００４０】
一方、接続機器容量検査部１８ｃは、接続されている記録再生装置１７の記録可能な空き容量Ｂを算出する（ステップＳＡ４）。そして、容量比較部１８ｄは、算出した保存要求容量Ａと記録可能な空き容量Ｂとを比較する（ステップＳＡ５）。
【００４１】
ステップＳＡ５において、記録可能な空き容量Ｂが保存要求容量Ａより大きかった場合、報告処理部１８ｅは、受信中のコンテンツを最後まで一時保存することが可能であることを示す一時保存可能アイコンを、ステップＳＡ３で表示した番組情報と共に、表示器に表示し（ステップＳＡ６）、処理を終了する。
【００４２】
また、ステップＳＡ５において、保存要求容量Ａが記録可能な空き容量Ｂより大きかった場合、報告処理部１８ｅは、一時保存可能アイコンを表示せず（ステップＳＡ７）、処理を終了する。
【００４３】
図５は、図４のフローチャートにおいて、アイコンが表示された場合の表示例を示している。
【００４４】
表示器３０内に、番組情報（番組名）２３が表示されている。また、受信中のコンテンツを最後まで一時保存することが可能であることを示す一時保存可能アイコン２４が表示されている。アイコン２５は、その他の情報を示すアイコンである。
【００４５】
この発明は上記の実施の形態に限定されるものではない。図２において、記録再生装置１７が複数（例えば外付けＨＤＤ１７Ａ及び外付けＨＤＤ１７Ｂ）接続されていて、外付けＨＤＤ１７Ａの記録可能な空き容量が保存要求容量より小さかった場合、制御部１８内に他の使用可能な記録再生装置１７（外付けＨＤＤ１７Ｂ）に切り替えることが出来る切換え部を設けてもよい。即ち、コンテンツ容量検査部１８ｂは、外付けＨＤＤ１７Ａの記録可能な空き容量が保存要求容量より小さかった場合、他の接続機器があるかどうかを検索する。そして、外付けＨＤＤ１７Ｂが検出されたとき、コンテンツ容量検査部１８ｂは、外付けＨＤＤ１７Ｂの記録可能な空き容量を計算する。
【００４６】
図６は、この発明の、他の実施の形態における、一時保存を実行する際の動作を説明するフローチャートである。
【００４７】
操作入力判別部１８aは、操作入力部において一時保存開始の操作入力を確認する（ステップＳＢ１）。コンテンツ容量計算部１８ｂは、受信中のコンテンツの残り時間及び最大伝送量を取得する（ステップＳＢ２）。次にコンテンツ容量計算部１８ｂは、これら取得したコンテンツの容量を計算するときに用いる情報から、記録再生装置１７に保存する際の保存要求容量Ａを算出する（ステップＳＢ３）。次に、接続機器容量検査部１８ｃは、現在使用している外付けＨＤＤ１７Ａの記録可能な空き容量Ｂを算出する（ステップＳＢ４）。
【００４８】
容量比較部１８ｄは、算出された保存要求容量Ａと記録可能な空き容量Ｂとを比較する（ステップＳＢ５）。
【００４９】
ステップＳＢ５において、記録可能な空き容量Ｂが保存要求容量Ａより大きかった場合、録画制御部１８ｇは外付けＨＤＤ１７Ａにて一時保存を開始する（ステップＳＢ６）。しかし、ステップＳＢ５において、保存要求容量Ａが記録可能な空き容量Ｂより大きかった場合、コンテンツ容量検査部１８ｂは、他に使用可能な記録再生装置１７がないかどうか検索する（ステップＳＢ７）。
【００５０】
ここで、ステップＳＢ７において、例えば外付けＨＤＤ１７Ｂが使用可能だと確認された場合、コンテンツ容量検査部１８ｂは使用する記録再生装置１７を外付けＨＤＤ１７Ａから外付けＨＤＤ１７Ｂに切り替え（ステップＳＢ８）、ステップＳＢ４にループし、再び記録可能な空き容量Ｂを算出する。
【００５１】
ステップＳＢ７において、他に使用可能な記録再生装置１７が確認されない場合、報告処理部１８ｅは、記録再生装置１７の容量不足の為、受信中のコンテンツを最後まで録画することができないという旨のメッセージを表示器に表示させる（ステップＳＢ９）。
【００５２】
次に、録画制御部１８ｇは、録画を実行するか否かのどちらか一方をユーザに選択させる（ステップＳＢ１０）。ステップＳＢ１０において、操作入力部に一時保存実行の入力操作があった場合、録画制御部１８ｇは一時保存を開始する（ステップＳＢ６）。ステップＳＢ１０において、操作入力部に一時保存実行の入力操作がなかった場合、そのまま処理を終了する（ステップＳＢ１１）。
【００５３】
よって、この発明は、一時保存録画を実行する際、記録再生装置１７の容量が足りない場合でも、使用する記録再生装置１７を切り替えることにより、録画の失敗を減らすことが出来る。
【００５４】
この発明は上記の実施の形態に限定されるものではない。図２の制御部１８内に、記録可能な空き容量が保存要求容量より小さかった場合、既に録画済の別のコンテンツを消去するか否かのどちらか一方をユーザに選択させることができる消去制御部１８ｈを設けてもよい。
【００５５】
図７は、この発明の、さらに他の実施の形態における、一時保存を実行する際の動作を説明するフローチャートである。
【００５６】
操作入力判別部１８aは、操作入力部において一時保存開始の操作入力を確認する（ステップＳＣ１）。コンテンツ容量検査部１８ｂは、信号処理部１４から供給されるＴＳより、受信中のコンテンツの残り時間及び最大伝送量を取得する（ステップＳＣ２）。また、これら取得したコンテンツの容量を計算するときに用いる情報から、記録再生装置１７に保存する際の保存要求容量Ａを算出する（ステップＳＣ３）。
【００５７】
接続機器容量検査部１８ｃは、接続されている記録再生装置１７の記録可能な空き容量Ｂを算出する（ステップＳＣ４）。容量比較部１８ｄは、算出された保存要求容量Ａと記録可能な空き容量Ｂとを比較する（ステップＳＣ５）。
【００５８】
ステップＳＣ５において、記録可能な空き容量Ｂが保存要求容量Ａより大きかった場合、録画制御部１８ｇは一時保存を開始する（ステップＳＣ６）。
【００５９】
しかし、ステップＳＣ５において、保存要求容量Ａが記録可能な空き容量Ｂより大きかった場合、報告処理部１８ｅは、記録可能な空き容量を確保する為に、既に録画済みのコンテンツを消去するかどうかをユーザに問い合わせるための表示を行う（ステップＳＣ７）。
【００６０】
ステップＳＣ７において、録画済のコンテンツを消去するというユーザ操作入力が確認された場合、消去制御部１８ｈは、既に録画済みのコンテンツの消去を実行し（ステップＳＣ８）、ステップＳＣ４にループし、再び記録可能な空き容量Ｂを算出する。
【００６１】
録画済みのコンテンツを消去する場合、古い番組から順番に消去順位を設定する方法、あるいは、消去順位をユーザが指定する方法がある。ユーザが指定する場合には、ジャンル別に指定し、かつ古い番組からというように指定することができる。そして消去順位を決めるテーブルがメモリ内に構築されるようになっている。
【００６２】
ステップＳＣ７において、録画済のコンテンツを消去しないという操作入力が確認された場合、報告処理部１８ｅは、記録再生装置１７の容量不足の為、受信中のコンテンツを最後まで録画することができないという旨のメッセージを表示器に表示させる（ステップＳＣ９）。次に、報告処理部１８ｅおよび録画制御部１８ｇは、録画を強制的に実行するか否かのどちらか一方をユーザに選択させる（ステップＳＣ１０）。
【００６３】
ステップＳＣ１０において、操作入力部に一時保存実行の入力操作があった場合、録画制御部１８ｇは一時保存を開始する（ステップＳＣ６）。ステップＳＣ１０において、操作入力部に一時保存実行の入力操作がなかった場合、そのまま処理を終了する（ステップＳＣ１１）。
【００６４】
よって、この発明は、一時保存録画を実行する際、記録再生装置１７の容量が足りない場合でも、既に録画済のコンテンツの削除を促すことにより、録画の失敗を減らすことが出来る。
【００６５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６６】
【図１】この発明に係るディジタルテレビジョン放送受信装置１０の内部を具体的に示した構成説明図である。
【図２】この発明に係る装置における制御部の、基本的な構成を示した構成説明図である。
【図３】この発明に係る装置における制御部の、一時保存実行の際の動作を示すフローチャートである。
【図４】この発明に係る装置における制御部の、番組情報を表示する際の動作を示すフローチャートである。
【図５】この発明に係る装置の、番組情報の表示例を示す説明図である。
【図６】この発明に係る装置における制御部の、他の例を示すフローチャートである。
【図７】この発明に係る装置における制御部の、更に他の例を示すフローチャートである。
【符号の説明】
【００６７】
１０…ディジタルテレビジョン放送受信装置、１１…アンテナ、１２…チューナ、１３…復調器、１４…信号処理部、１５…映像出力装置、１６…音声出力装置、１７…記録再生装置、１８…制御部、１９…操作パネル、２０…リモートコントローラ、２１…受光部、２２…メモリ部。
【図１】
2007067954.tif 000003
【図２】
2007067954.tif 000004
【図３】
2007067954.tif 000005
【図４】
2007067954.tif 000006
【図５】
2007067954.tif 000007
【図６】
2007067954.tif 000008
【図７】
2007067954.tif 000009